(57)【特許請求の範囲】
【請求項１】
四角形のプレートである底板と、該底板の外周縁から上方へ延設される側壁と、該側壁の上部に凸設される当接リブと、該当接リブの４つの隅角にそれぞれ設けられる連結部と、該当接リブの４つの側縁にそれぞれ設けられる横長方形の当接面と、該連結部を挿設上部と挿設下部とに区画するように、該連結部の外周面の中段部に形成される設置凹部と、該連結部の挿設上部を貫通するように、孔の長手方向が両側の当接面の延出方向に対して４５度であると共に、底部により大きい内径を備える大径凹部が形成される上部挿設孔と、該連結部の挿設下部を貫通するように、該上部挿設孔と対応するように形成されると共に、孔の長手方向が両側の当接面の延出方向に対して４５度である下部挿設孔とを備えるケースと、
前記ケースの上部に被嵌される四角形の蓋本体と、該蓋本体の４つの隅角にそれぞれ連結部と対応するように設けられる嵌着部と、該嵌着部における、上部挿設孔の上部と対応する位置に形成されると共に、同一形状を呈する蓋孔とを備える蓋と、
同一間隔をおいて形成される４つの嵌合部と、該各嵌合部を貫通すると共に、上部挿設孔と同一形状を呈するように、それぞれの長手方向が四辺形を囲むように配列される貫通孔とを備え、そのうちの１つの該嵌合部が設置凹部に嵌合されると共に、該嵌合部の貫通孔が対応する上部挿設孔及び下部挿設孔と連通するように、水平状態に設置される少なくとも１つの連結盤と、
前記蓋の蓋孔、ケースの上部挿設孔、連結盤の貫通孔、ケースの下部挿設孔を順に貫通するシャフトと、該シャフトの上部に設けられ、該蓋孔と同一形状のブロック体であり、その長手方向が該蓋孔の長手方向と直交する着脱つまみと、該シャフトの底端における両側にそれぞれ、該下部挿設孔と同一形状を呈するように凸設され、長手方向が該着脱つまみの長手方向に対して４５度であり、該連結部の底面に位置する下凸部と、該シャフトにおける、大径凹部と対応する位置の両側にそれぞれ凸設され、該上部挿設孔と同一形状のブロック体であり、該大径凹部の内部上面に位置する中凸部とを備える少なくとも１つの固定部材と、を有することを特徴とする多機能浮箱。
【請求項２】
前記当接リブにおける当接面及び連結部の内側に、矩形環状の封止凸縁が上方へ延設され、
前記蓋本体における４つの隅角にそれぞれ凹みが凹設されると共に、底面の内周面近傍に矩形環状の内側凸縁が下方へ延設され、該蓋本体の内周面と内側凸縁との間に、封止凸縁が嵌合される封止溝が形成され、前記各嵌着部は、蓋本体の凹みの底部から外側へ延設されることを特徴とする請求項１に記載の多機能浮箱。
【請求項３】
前記凹みは、中央がより大きく凹み、
前記固定部材の着脱つまみの一端が凹みの中央に係合されることを特徴とする請求項２に記載の多機能浮箱。
【請求項４】
前記各嵌着部の上面における相対する両側にそれぞれ嵌着台が設けられ、それら嵌着台が蓋孔の中央と対応するように、蓋孔の相対する両側に位置し、該各嵌着台の両側にそれぞれ傾斜面が設けられることを特徴とする請求項３に記載の多機能浮箱。
【請求項５】
前記各嵌着台は、蓋孔の両端に向かって延設された長形凸部であり、両側にそれぞれ傾斜面が設けられることを特徴とする請求項４に記載の多機能浮箱。
【請求項６】
前記各蓋孔における、底部両側にそれぞれ拡大凹部が形成されると共に、上部における該拡大凹部と対応する位置に、該拡大凹部と連通する収容凹部が凹設され、
前記シャフトにおける、蓋孔と対応する位置の両側にそれぞれ、拡大凹部の内部上面に当接される、収容凹部と同一形状の上凸部が凸設され、それら上凸部の延出方向が着脱つまみの長手方向に対して４５度ずれていることを特徴とする請求項１乃至５の何れか１項に記載の多機能浮箱。
【請求項７】
前記各上部挿設孔が両端へ行くにつれて狭くなるテーパー状を呈すると共に、前記各下部挿設孔が両端へ行くにつれて狭くなるテーパー状を呈し、前記蓋孔が上部挿設孔より大きく、その両端が外側へ行くにつれて狭くなるテーパー状を呈し、
前記各収容凹部が蓋孔と反対する側へ行くにつれて狭くなるテーパー状であることを特徴とする請求項６に記載の多機能浮箱。
【請求項８】
前記上部挿設孔の上段における相対する両側にそれぞれ、該上部挿設孔の中央部と連通する位置決め凹部が凹設され、該位置決め凹部は、上部挿設孔の端部と同一形状を呈し、該上部挿設孔の長手方向に対して４５度ずれていることを特徴とする請求項７に記載の多機能浮箱。
【発明の詳細な説明】
【技術分野】
【０００１】
本発明は、特に連結構造により組み立てて浮島や浮き桟橋などを作成するために使用する多機能浮箱に関するものである。
【背景技術】
【０００２】
従来の浮箱は、ベースを有し、該ベースの上部開口に蓋が被嵌され、該ベースと蓋との内部に物を収納するための空間が形成されるものであるが、浮箱を互いに組み立てるための係合構造を有しないことから、それぞれ個別には使用できるが、浮島や浮き桟橋などを作成することができないという欠点があった。その問題点を改良するために、既存の浮箱は、文献１に示すように、箱体に連結構造が設けられ、その連結構造によって、複数の浮箱を組み立てることができ、浮島や浮き桟橋などを作成することも可能であるが、その浮箱の内部に物を置くことができないことから、多機能を備えなく、利便性が低下であった。
【先行技術文献】
【特許文献】
【０００３】
【特許文献１】台湾実用新案第３１５８２９号
【発明の概要】
【発明が解決しようとする課題】
【０００４】
従来の浮箱は、互いに組み立てるための係合構造が設けられていないことから、夫々個別に使用することはできるが、それらを組み合わせて浮島や浮き桟橋などを作成することができないという欠点を有する。この欠点を改良するために、既存の浮箱に連結構造が設けられ、その連結構造によって、複数の浮箱を組み立てることができ、浮島や浮き桟橋などを作成することが可能であるが、その連結構造からの係合効果が低く、浮箱の内部にも物を置くことができないので、多機能を備えなく、利便性が低下であった。
【課題を解決するための手段】
【０００５】
本発明に係る多機能の浮体は、四角形のプレートである底板と、該底板の外周縁から上方へ延設される側壁と、該側壁の上部に凸設される当接リブと、該当接リブの４つの隅角にそれぞれ設けられる連結部と、該当接リブの４つの側縁にそれぞれ設けられる横長方形の当接面と、該連結部を挿設上部と挿設下部とに区画するように、該連結部の外周面の中段部に形成される設置凹部と、該連結部の挿設上部を貫通するように、孔の長手方向が両側の当接面の延出方向に対して４５度であると共に、底部により大きい内径を備える大径凹部が形成される上部挿設孔と、該連結部の挿設下部を貫通するように、該上部挿設孔と対応するように形成されると共に、孔の長手方向が両側の当接面の延出方向に対して４５度である下部挿設孔とを備えるケースと、
前記ケースの上部に被嵌される四角形の蓋本体と、該蓋本体の４つの隅角にそれぞれ連結部と対応するように設けられる嵌着部と、該嵌着部における、上部挿設孔の上部と対応する位置に形成されると共に、同一形状を呈する蓋孔とを備える蓋と、
同一間隔をおいて形成される４つの嵌合部と、該各嵌合部を貫通すると共に、上部挿設孔と同一形状を呈するように、それぞれの長手方向が四辺形を囲むように配列される貫通孔とを備え、そのうちの１つの該嵌合部が設置凹部に嵌合されると共に、該嵌合部の貫通孔が対応する上部挿設孔及び下部挿設孔と連通するように、水平状態に設置される少なくとも１つの連結盤と、
前記蓋の蓋孔、ケースの上部挿設孔、連結盤の貫通孔、ケースの下部挿設孔を順に貫通するシャフトと、該シャフトの上部に設けられ、該蓋孔と同一形状のブロック体であり、その長手方向が該蓋孔の長手方向と直交する着脱つまみと、該シャフトの底端における両側にそれぞれ、該下部挿設孔と同一形状を呈するように凸設され、長手方向が該着脱つまみの長手方向に対して４５度であり、該連結部の底面に位置する下凸部と、該シャフトにおける、大径凹部と対応する位置の両側にそれぞれ凸設され、該上部挿設孔と同一形状のブロック体であり、該大径凹部の内部上面に位置する中凸部とを備える少なくとも１つの固定部材と、を有するものである。
【０００６】
また、かかる多機能浮箱において、前記当接リブにおける当接面及び連結部の内側に、矩形環状の封止凸縁が上方へ延設され、
前記蓋本体における４つの隅角にそれぞれ凹みが凹設されると共に、底面の内周面近傍に矩形環状の内側凸縁が下方へ延設され、該蓋本体の内周面と内側凸縁との間に、封止凸縁が嵌合される封止溝が形成され、前記各嵌着部は、蓋本体の凹みの底部から外側へ延設されることが好ましい。
【０００７】
また、かかる多機能浮箱において、前記凹みは、中央がより大きく凹み、
前記固定部材の着脱つまみの一端が凹みの中央に係合されることが好ましい。
【０００８】
また、かかる多機能浮箱において、前記各嵌着部の上面における相対する両側にそれぞれ嵌着台が設けられ、それら嵌着台が蓋孔の中央と対応するように、蓋孔の相対する両側に位置し、該各嵌着台の両側にそれぞれ傾斜面が設けられることが好ましい。
【０００９】
また、かかる多機能浮箱において、前記各嵌着台は、蓋孔の両端に向かって延設された長形凸部であり、両側にそれぞれ傾斜面が設けられることが好ましい。
【００１０】
また、かかる多機能浮箱において、前記各蓋孔における、底部両側にそれぞれ拡大凹部が形成されると共に、上部における該拡大凹部と対応する位置に、該拡大凹部と連通する収容凹部が凹設され、
前記シャフトにおける、蓋孔と対応する位置の両側にそれぞれ、拡大凹部の内部上面に当接される、収容凹部と同一形状の上凸部が凸設され、それら上凸部の延出方向が着脱つまみの長手方向に対して４５度ずれていることが好ましい。
【００１１】
また、かかる多機能浮箱において、前記各上部挿設孔が両端へ行くにつれて狭くなるテーパー状を呈すると共に、前記各下部挿設孔が両端へ行くにつれて狭くなるテーパー状を呈し、前記蓋孔が上部挿設孔より大きく、その両端が外側へ行くにつれて狭くなるテーパー状を呈し、
前記各収容凹部が蓋孔と反対する側へ行くにつれて狭くなるテーパー状であることが好ましい。
【００１２】
前記上部挿設孔の上段における相対する両側にそれぞれ、該上部挿設孔の中央部と連通する位置決め凹部が凹設され、該位置決め凹部は、上部挿設孔の端部と同一形状を呈し、該上部挿設孔の長手方向に対して４５度ずれていることが好ましい。
【発明の効果】
【００１３】
本発明に係る多機能浮箱を用いて複数のセットを組み合わせる時は、当接面を介して各ケースを互いに接触させ、連結盤を介して複数のケースを組み合わせるだけなので、ケースを簡単に且つスムーズに組み合わせることができ、また、浮島や桟橋などを作成することができるので、非常時や災害時に寄与するものである。
【００１４】
また、本発明に係る多機能浮箱は、蓋の取り外しが簡単であり、固定部材を捻れるだけで蓋を自由に着脱することができ、一方、その浮箱と他の浮箱とは、固定部材と連結盤との係合構造により安定した状態で組み合せれていることから、収納機能を提供しつつ、水面上に安定した状態で位置させることができる。また、本発明の浮箱は、海や川に浮かべてもよく、陸地に配置して使用してもよく、例えば、浮箱の内部に土を充填して植物を植えることもできるので、多機能性を有するものである。
さらに、複数の浮箱を横に倒して組み組み合わせる時は、複数のケースの間が当接リブの当接面により互いに組み合わされることから、安定的に且つ強固に組み立てることができる。故に、ケースが脱落することはなく、ケースの内部に本などを収納しても変形しないので、本棚や工具棚としても使用することができる。
【図面の簡単な説明】
【００１５】
【図１】本発明に係る多機能浮箱の部分拡大斜視図である。
【図２】本発明に係る多機能浮箱の部分分解図である。
【図３】本発明に係る多機能浮箱において蓋を取り外した状態を示す部分拡大斜視図である。
【図３Ａ】図３における連結部の挿設下部の部分拡大断面図である。
【図３Ｂ】図３におけるの連結部の挿設上部の部分拡大平面図である。
【図３Ｃ】図３における連結盤の平面図である。
【図３Ｄ】本発明における蓋及びケースの部分分解斜視図である。
【図４】図１における蓋及び固定部材の底面図である。
【図５Ｂ】図１におけるケース及び蓋の部分断面図である。
【図５Ａ】図５Ｂにおける部分拡大断面図である。
【図６】図１における固定部材の平面図である。
【図７】本発明に係るに係る多機能浮箱において、４セット組み合わせた状態を示す斜視図である。
【図８】本発明に係るに係る多機能浮箱において、複数のセットを組み合わせた状態を示す斜視図である。
【図９】本発明に係るに係る多機能浮箱において、複数のセットを組み立てて重ねた状態を示す斜視図である。
【図１０】本発明に係る多機能浮箱において、固定部材を挿設した状態を示す部分断面斜視図である。
【図１１】本発明に係る多機能浮箱において、固定部材を９０度回転させて状態を示す部分断面斜視図である。
【図１２】本発明に係る多機能浮箱において、蓋を取り外した状態を示す斜視図である。
【図１３】本発明に係る多機能浮箱を４セット組み合わせて、植物を植えた状態を示す斜視図である。
【図１４】本発明に係る多機能浮箱を４セット重ねた状態を示す断面図である。
【図１５】本発明に係る多機能浮箱の他の実施例における上面視部分分解斜視図である。
【図１６】本発明に係る多機能浮箱の他の実施例における底面視部分分解斜視図である。
【発明を実施するための形態】
【００１６】
以下、添付図面を参照して本発明の適切な実施の形態を詳細に説明する。
【００１７】
図１乃至図６に示すように、本発明に係る多機能浮箱の実施例においては、ケース１０と、蓋２０と、少なくとも１つの連結盤３０と、少なくとも１つの固定部材４０とを１セットとし、図７乃至図９に示すように、１つの連結盤３０を介して複数セットを組み合わせれば浮島を作成することができる。
【００１８】
図２及び図３に示すように、前記ケース１０は、直方形のプレートである底板１１と、該底板１１の外周縁から上方へ延設され、直方形を呈する４つの側部が設けられ、且つ該各側面が下部から上部へ行くにつれて斜め外側へ傾斜状となっている側壁１２と、該側壁１２の上部外周面に凸設される当接リブ１３とを備える。
【００１９】
図３Ｄ、図５Ｂ及び図５Ａに示すように、前記当接リブ１３は、正方形を呈し、４つの隅角にそれぞれ、上面及び下面が平坦な連結部１３１が設けられると共に、４つの側縁にそれぞれ横長方形の当接面１３２が設けられ、隣り合う２つの当接面１３２の間に円弧面１３３が形成される。
【００２０】
前記当接リブ１３は、連結部１３１の外周面の中段部に、連結部１３１を挿設上部と挿設下部とに区画する設置凹部１３４が形成され、該連結部１３１の上段部に挿設上部を上下方向に貫通する上部挿設孔１３５が形成されると共に、該連結部１３１の下段部に挿設下部を上下方向に貫通する下部挿設孔１３６が形成され、更に、該当接リブ１３の上面における当接面１３２及び連結部１３１の内側に、矩形環状の封止凸縁１４が上方へ延設される。
【００２１】
図３Ａ、図３Ｂ、図３Ｄに示すように、前記上部挿設孔１３５は、長円形を呈し、孔の長手方向が両側の当接面１３２の延出方向に対して４５度であり、底部により大きい内径を備える大径凹部１３５１が形成され、上段における相対する両側にそれぞれ位置決め凹部１３５２が凹設され、その位置決め凹部１３５２は、上部挿設孔１３５の上段から中段まで貫通するように形成され、且つ上部挿設孔１３５の端部と同一形状を呈するように形成され、該位置決め凹部１３５２が上部挿設孔１３５の長手方向に対して４５ずれている。前記下部挿設孔１３６は、長円形を呈し、孔の長手方向が隣接している当接面１３２の延出方向に対して４５度であり、該上部挿設孔１３５と対応するように形成され、該上部挿設孔１３５と同一形状を呈する。
【００２２】
前記蓋２０は、ケース１０の上部に被嵌され、四角形の蓋本体２１を有し、該蓋本体２１の４つの隅角の上部にそれぞれ、中央がより大きく凹んでいる凹み２１１が凹設され、該蓋本体２１の底面に矩形環状の内側凸縁２１２が下方へ延設され、該蓋本体２１の底面における外周面と内側凸縁２１２との間に封止溝２１３が形成される。尚、この構成によれば、前記封止凸縁１４が封止溝２１３に嵌合され、蓋本体２１がケース１０の上部に密封状態に被嵌される。
【００２３】
前記蓋２０は、蓋本体２１の４つの隅角の下部にそれぞれ、連結部１３１と対応するように嵌着部２２が設けられ、該嵌着部２２は、蓋本体２１の凹み２１１の底部から外側へ向かって延設され、上面及び下面が平坦なプレートであり、上部挿設孔１３５と対応する位置に同一形状を呈する蓋孔２２１が形成され、該蓋孔２２１は、長円形を呈し、長手方向が上部挿設孔１３５の長手方向と同一であり、全体的には上部挿設孔１３５より大きく、その両端が外側へ行くにつれて狭くなるテーパー状であり、底部により大径の拡大凹部２２１１が形成され、上部における相対する両側にそれぞれ収容凹部２２１２が凹設され、該相対する収容凹部２２１２は、蓋孔２２１の長手方向と直交するように形成されると共に、蓋孔２２１と反対する側へ行くにつれて狭くなるテーパー状の端部を備え、下部が該拡大凹部２２１１と連通している。
【００２４】
さらに、前記蓋２０は、嵌着部２２における各収容凹部２２１２の外側にそれぞれ嵌着台２３が設けられ、それら嵌着台２３が蓋孔２２１の中央と対応するように、蓋孔２２１の相対する両側に位置し、該各嵌着台２３は、蓋孔２２１の両端に向かって延出された長形凸部である。また、前記各嵌着台２３の両側にそれぞれ傾斜面２３１が設けられる。
【００２５】
図２、図３及び図３Ｃに示すように、前記連結盤３０は、円盤状を呈し、水平方向に設置され、厚さは、設置凹部１３４の上下方向の高さと同一であり、中央部に矩形の中心孔３１が形成され、該中心孔３１の周囲に同一間隔で４つの嵌合部が形成され、該各嵌合部を貫通するように、上部挿設孔１３５と同一形状の貫通孔３２が形成され、それら貫通孔３２は、それぞれの長手方向が四辺形を囲むように配列される。前記連結盤３０は、そのうちの１つの該嵌合部が設置凹部１３４に位置すると共に、且つ該嵌合部の貫通孔３２が、対応する上部挿設孔１３５及び下部挿設孔１３６と連通するように位置する。
【００２６】
図２、図３、図４、図６に示すように、前記固定部材４０は、蓋２０、ケース１０、連結盤３０に貫挿され、円柱状のシャフト４１を備え、該シャフト４１は、蓋２０の蓋孔２２１、ケース１０の上部挿設孔１３５、連結盤３０の貫通孔３２、ケース１０の下部挿設孔１３６を順に貫通するように挿設され、また、前記固定部材４０の上端に着脱つまみ４２が設けられ、該着脱つまみ４２は、蓋孔２２１と同一形状の細長状のブロックであり、底面中央部分がシャフト４１の上端に接着され、その長手方向が該蓋孔２２１の長手方向と直交する。また、該着脱つまみ４２は、両端底面が蓋孔２２１の両側の嵌着台２３の中央部分に当接されると共に、そのうちの一端が凹み２１１の中央に係合される。
【００２７】
また、前記シャフト４１は、その底端が下部挿設孔１３６を通過して下部から突出するように貫設され、該シャフト４１の底端における両側にそれぞれ、下部挿設孔１３６と同一形状である下凸部４３が凸設され、該下凸部４３は、長手方向が着脱つまみ４２の長手方向に対して４５度であり、連結部１３１における下部挿設孔１３６の底面周囲に係合される。さらに、前記シャフト４１における、大径凹部１３５１と対応する位置の両側にそれぞれ、上部挿設孔１３５と同一形状の中凸部４４が凸設され、該中凸部４４は、下凸部４３の上方に位置し、大径凹部１３５１の内端面に当接される。
【００２８】
また、前記シャフト４１における、蓋孔２２１と対応する位置の両側にそれぞれ、収容凹部２２１２と同一形状の上凸部４５が凸設され、それら上凸部４５は、延出方向が着脱つまみ４２の長手方向に対して４５度ずれており、中凸部４４の長手方向に対しても４５度ずれており、蓋２０の拡大凹部２２１１に係合される。
【００２９】
上述した本実施例においては、固定部材４０の着脱つまみ４２の底面両側が蓋孔２２１の両側における嵌着台２３の中央部分に当接されるが、それら嵌着台２３は必ずしも設けなくてもよく、着脱つまみ４２の底面両側が蓋孔２２１の両側における嵌着部２２の上面に当接されればよい。また、前記嵌着台２３は、あってもなくても構わなく、着脱つまみ４２を捻って固定部材４０を９０度回転させると、着脱つまみ４２が蓋孔２２１と対応するように、着脱つまみ４２の底部が蓋孔２２１の上部に嵌入する。
【００３０】
本発明を使用する時は、１セットのみの使用でもよく、複数セットを組み立てて浮島や浮き桟橋などとして使用してもよく、且つ該１セットは、例えば、１つのケース１０、１つの蓋２０、１つの連結盤３０、１つの固定部材４０からなり、該複数セットは、例えば、４つのケース１０、４つの蓋２０、１つの連結盤３０、４つの固定部材４０からなる。また、本発明に係る多機能浮箱は、収納機能を有し、川や海で遊ぶ際や、洪水の救難援助、泥土を充填して植物を植える盆栽、横に倒して本棚などとして使用してもよい。
【００３１】
図５Ｂに示すように、ケース１０の内部には収容空間を有し、蓋２０にはやや弾性を有することから、封止溝２１３にケース１０の封止凸縁１４をすると、ケース１０と蓋２０との間がしっかりと連結され、ケース１０内の空気が漏れない密封状態となることから、収納物、例えば、食料や衣料などが水に触れることはないので、食料の腐敗を防止することができ、さらに、本発明においては、蓋２０がケース１０に封嵌されてケース１０内に空気が充満することから、浮力を有するので、津波や洪水などの非常時に水面に浮かべて救助に役立てることができる。
【００３２】
また、本実施例においては、１つの連結盤３０を用いて２セットから４セット組み立てることにより、浮島などを作成することができ、例えば、図７に示すように、４セットを組み立てた場合、隣接する当接リブ１３の当接面１３２が互いに接触して、内側の隅角に形成された設置凹部１３４に連結盤３０の嵌合部が嵌合されると共に、４本の固定部材４０がれぞれケース１０、蓋２０、連結盤３０に挿設されることにより連結される。故に、この構成によれば、４セットを組み立てて大面積の浮島を作成することにより、洪水などの非常時に役立てることができる。
【００３３】
上述したように、４セットを組み立てた状態においては、それら浮箱がそれぞれ、ケース１０の当接面１３２により互いに接触することから、水波の揺れでケース１０が外れることはない。尚、それらケース１０の間に、クッションとしてプレートを設置してもよく、これにより、複数セットを組み合わせてもより安定して連結させることができる。
【００３４】
更に、本発明は、１つの連結盤３０を用いて４セットを組み立てられるだけでなく、各浮箱の外側に更に他の浮箱を組み立てることにより、より大面積の浮島を作成することもできる。例えば、図８及び図９に示すように、複数セット組み立てて大面積の浮島を作って、遊び場として使用してもよく、さらに、複数セットを組み立てると共に、重ねることにより、より高い２層の浮島を作ってもよい。
【００３５】
一方、図１０乃至図１２に示すように、蓋２０を取り外す時は、先ず固定部材４０の着脱つまみ４２を９０度にひねり回すが、この時、着脱つまみ４２に対して相当の力を入れる必要があり、これは蓋２０を組み立てた時に、固定部材４０の着脱つまみ４２が蓋２０から抜けないようにするためであって、内端が蓋２０の凹み２１１のより凹んだ中央部分に係合されることから、相当な力を入れなければひねることができない。このような構成であることから、着脱つまみ４２を９０度にひねり回すと、着脱つまみ４２が蓋孔２２１と対応するようになるが、上凸部４５が収容凹部２２１２と対応していないので、固定部材４０を蓋２０から上方へ引き抜くことができない。しかし、この時、蓋２０を少し上方へ移動させると、固定部材４０の着脱つまみ４２が蓋孔２２１を通過することにより、蓋２０をケース１０から取り外すことができるようになる。
【００３６】
上述したように、本発明の多機能浮箱における前記固定部材４０は、一対の下凸部４３及び一対の中凸部４４により、連結部１３１の挿設上部及び挿設下部に係合されることから、そのうちの１つの下凸部４３または中凸部４４が破損し折れたとしても、固定部材４０がケース１０から抜け落ちることはないので、固定部材４０とケース１０の連結部１３１との係合効果を常に維持することができる。
【００３７】
更に、図２及び図３に示すように、着脱つまみ４２を９０度にひねると、上部挿設孔１３５の位置決め凹部１３５２に固定部材４０の上凸部４５が収容されると共に、固定部材４０の着脱つまみ４２が蓋２０の蓋孔２２１と対応するように解放されることから、蓋２０がケース１０と組み合わせてもよく、ケース１０から外れてもよい。
【００３８】
また、前記蓋２０は、固定部材４０における一対の下凸部４３及び一対の中凸部４４が下部挿設孔１３６及び上部挿設孔１３５と対応していない状態である場合、それぞれ連結部１３１の底面に係合されていることから固定部材４０を上方へ移動させることができないので、蓋２０を取り外すことはできない。
【００３９】
一方、前記連結盤３０を用いて複数セット組み立てた場合においては、１セットの蓋２０を取り外しても他の浮箱に影響を与えることはなく、他の浮箱がそれぞれの固定部材４０を介してケース１０と連結盤３０とを結合するので、作成した浮島が崩れないように、安定的に組み立てることが可能である。
【００４０】
図１４に示すように、本発明においては、蓋２０を取り外しても複数セットの組立状態を維持できることから、海や川などの水面に浮かべたり、陸地に置いて使用したり、ケース１０の内部に土を充填して植物を植えることもできるので、多機能の浮箱を提供できる。
【００４１】
さらに、複数の浮箱を横に倒して組み立てる時は、複数のケース１０の間が当接リブ１３の当接面１３２により互いに組み合わされることから、安定的に組み立てることができ、ケース１０の内部に本などを収容しても変形することはないので、本棚や工具棚として使用することもできる。
【００４２】
また、図１４に示すように、複数の浮箱を収納する時は、単にそれぞれ上下方向に重ねて、各ケース１０の当接リブ１３を係合するだけでよく、更に、上側のケース１０の底部外面と下側のケース１０の底部内面との間にスペースが形成されるので、このスペースに連結盤３０や固定部材４０を収納することができる。
【００４３】
一方、図１５及び図１６に示すように、本発明に係る多機能浮箱の他の実施例は、殆ど上述した実施例と同一であるが、蓋２０の各嵌着部２２の上面に前記嵌着台２３が設けられてないと共に、連結盤３０がさらに転止め凸部３３を備えることにおいて異なる。その連結盤３０は、外周面にそれら嵌合部との隣接する位置にそれぞれ回転止め凸部３３が外側へ突出するように設けられる。また、連結盤３０における、中心孔３１が円形を呈してもよく、貫通孔３２が楕円形を呈してもよい。
【００４４】
その構造によれば、前記連結盤３０の嵌合部がケース１０の設置凹部１３４に嵌合される時、該嵌合部の両側の回転止め凸部３３がそれぞれ設置凹部１３４の両側の当接面１３２に当接されることから、該連結盤３０がケース１０に対して回転することができなく、固定部材４０が蓋２０の蓋孔２２１、ケース１０の上部挿設孔１３５、連結盤３０の貫通孔３２、ケース１０の下部挿設孔１３６を順に貫通すると、蓋２０と、ケース１０と、連結盤３０とを安定して組み立てることができる。
【符号の説明】
【００４５】
１０      ケース
１１      底板
１２      側壁
１３      当接リブ
１３１    連結部
１３２    当接面
１３３    円弧面
１３４    設置凹部
１３５    上部挿設孔
１３５１  大径凹部
１３５２  位置決め凹部
１３６    下部挿設孔
１４      封止凸縁
２０      蓋
２１      蓋本体
２１１    凹み
２１２    内側凸縁
２１３    封止溝
２２      嵌着部
２２１    蓋孔
２２１１  拡大凹部
２２１２  収容凹部
２３      嵌着台
２３１    傾斜面
３０      連結盤
３１      中心孔
３２      貫通孔
４０      固定部材
４１      シャフト
４２      着脱つまみ
４３      下凸部
４４      中凸部
４５      上凸部
【要約】      （修正有）【課題】特に係合構造を介して複数組み合わせ、浮島や浮き桟橋などを作成することができる多機能浮箱を提供する。【解決手段】多機能浮箱は、ケース１０と、蓋と、連結盤３０と、固定部材４０とを備え、その内、該ケースは、４つの隅角にそれぞれ連結部１３１が設けられ、それら連結部を貫通する挿設孔が形成され、該蓋は、該ケースの上部に被嵌され、該連結部と対応する隅角にそれぞれ嵌着部が設けられ、該嵌着部を貫通する蓋孔が形成され、該連結盤は、水平方向に該ケースの連結部に設置され、該挿設孔及び蓋孔と連通する貫通孔３２が形成され、該固定部材は、該ケースの挿設孔、蓋の蓋孔、連結盤の貫通孔を貫通するように、該ケース、蓋、連結盤を組み立てる、この構造によれば、複数の浮箱を組み立ててもよく、浮島や浮き桟橋などを作成することが可能である。【選択図】図１【図１】
0005391496.tif 000002
【図２】
0005391496.tif 000003
【図３】
0005391496.tif 000004
【図３Ａ】
0005391496.tif 000005
【図３Ｂ】
0005391496.tif 000006
【図３Ｃ】
0005391496.tif 000007
【図３Ｄ】
0005391496.tif 000008
【図４】
0005391496.tif 000009
【図５Ｂ】
0005391496.tif 000010
【図５Ａ】
0005391496.tif 000011
【図６】
0005391496.tif 000012
【図７】
0005391496.tif 000013
【図８】
0005391496.tif 000014
【図９】
0005391496.tif 000015
【図１０】
0005391496.tif 000016
【図１１】
0005391496.tif 000017
【図１２】
0005391496.tif 000018
【図１３】
0005391496.tif 000019
【図１４】
0005391496.tif 000020
【図１５】
0005391496.tif 000021
【図１６】
0005391496.tif 000022